(57)【要約】【課題】照射面の前方だけでなく後方も照射し、光の利用効率を向上させた照明カバー及び照明器具の提供を目的としている。【解決手段】照明カバー及び照明器具は、照明器具本体から光源の出射側へ向かって延び、光源が出射する光を透過するカバー側面部と、カバー側面部の縁部から光軸へ向かって延びるようにカバー側面部と一体成形され、光源が出射する光を前方に透過する光と後方に反射する光とに配光するカバー正面部と、を備える。【選択図】図３
2018206565.tif 000002
【特許請求の範囲】
【請求項１】
照明器具本体の光源が出射する光の配光を制御する照明カバーにおいて、
前記照明器具本体から前記光源の出射側へ向かって延び、前記光源が出射する光を透過するカバー側面部と、
前記カバー側面部の縁部から光軸へ向かって延びるように前記カバー側面部と一体成形され、前記光源が出射する光を前方に透過する光と後方に反射する光とに配光するカバー正面部と、
を備えた照明カバー。
【請求項２】
前記カバー正面部は、前記光源側の内面と、照射側の外面とを有し、前記内面又は前記外面は、前記光源の光軸から傾斜した傾斜面を有する請求項１に記載の照明カバー。
【請求項３】
前記カバー正面部は、前記光源側の内面と、照射側の外面とを有し、前記内面又は前記外面には、前記光源の光軸から傾斜した第１傾斜面及び第２傾斜面が形成されており、
前記第１傾斜面は、前記カバー正面部の外縁部から前記光軸に向かって前記カバー正面部の厚さが薄くなることにより形成され、
前記第２傾斜面は、前記外縁部から前記光軸に向かって前記カバー正面部の厚さが厚くなることにより形成され、
前記第１傾斜面と前記第２傾斜面とは、前記カバー正面部に前記外縁部から前記光軸に向かって交互に設けられている請求項１に記載の照明カバー。
【請求項４】
前記カバー正面部は、前記光源の光軸の周方向に傾斜した第３傾斜面及び第４傾斜面を有し、前記第３傾斜面と前記第４傾斜面とは、前記光軸に対しそれぞれ異なる傾斜角度で形成され、周方向に交互に配置されている請求項１に記載の照明カバー。
【請求項５】
前記カバー正面部及び前記カバー側面部を構成するカバー部材は、光拡散材料を含有する請求項１〜４のいずれか１項に記載の照明カバー。
【請求項６】
前記カバー正面部及び前記カバー側面部は、表面に光拡散部が形成されている請求項１〜４のいずれか１項に記載の照明カバー。
【請求項７】
前記カバー正面部及び前記カバー側面部を構成するカバー部材の少なくとも一部は、着色透明である請求項１〜４のいずれか１項に記載の照明カバー。
【請求項８】
前記カバー側面部は、両端が開口した筒形状を有し、後方の開口端が前記照明器具本体に保持され、前方の開口端に前記カバー正面部が設けられている請求項１〜７のいずれか１項に記載の照明カバー。
【請求項９】
光を出射する光源と、
請求項１〜８のいずれか１項に記載の照明カバーと
を備えた照明器具。
【発明の詳細な説明】
【技術分野】
【０００１】
本発明は、透光性を有する照明カバー及び当該照明カバーを備えた照明器具に関する。
【背景技術】
【０００２】
従来、照明器具において、透光性の照明カバーが取付けられたものがある。このような照明カバーは、光源からの光を所要の方向に反射及び透過させる。これにより、透光性の照明カバーは、照射範囲を広げながら天井面を明るくする等の配光制御の機能と、まぶしさを緩和する等の輝度調整の機能とを有する。
【０００３】
また、光拡散性を有する配光制御板を用いて、天井面にも照明を行う照明器具が提案されている（例えば、特許文献１参照）。特許文献１には、ＬＥＤを含む光源ユニットの前面に、配光制御板を設けた長尺状の照明器具が開示されている。配光制御板は、器具本体の長手方向の両端から吊り下げ金具により保持されている。そして、ＬＥＤから照射された光は、配光制御板を透過し照明器具の前方を照射する。一方、ＬＥＤから照射された光の一部は、配光制御板により反射され、光源ユニットの後方の天井面に照射される。
【先行技術文献】
【特許文献】
【０００４】
【特許文献１】特開２０１５−３２５６８号公報
【発明の概要】
【発明が解決しようとする課題】
【０００５】
しかしながら、特許文献１の照明器具の場合、光源ユニットと照明カバーとの間に吊り下げ金具があるため、保持部材が後方への光を遮り影ができ、後方への光が有効に利用することができない。
【０００６】
本発明は、上記のような課題を解決するためになされたもので、光の利用効率を向上させた照明カバー及び照明器具を提供する。
【課題を解決するための手段】
【０００７】
本発明に係る照明カバーは、照明器具本体の光源が出射する光の配光を制御する照明カバーにおいて、前記照明器具本体から前記光源の出射側へ向かって延び、前記光源が出射する光を透過するカバー側面部と、前記カバー側面部の縁部から光軸へ向かって延びるように前記カバー側面部と一体成形され、前記光源が出射する光を前方に透過する光と後方に反射する光とに配光するカバー正面部と、を備えたものである。
【発明の効果】
【０００８】
本発明によれば、カバー正面部とカバー側面部とは一体成形されるため、保持部材によって、後方への光が遮られることがなく、光の利用効率を向上させることができる。
【図面の簡単な説明】
【０００９】
【図１】本発明の実施の形態１に係る照明器具の構成を示す切り欠き断面図である。
【図２】本発明の実施の形態１に係る照明器具の構成を示す平面図である。
【図３】本発明の実施の形態１に係る照明カバーの断面図及び平面図である。
【図４】図３の照明カバーの領域Ｓ１の部分拡大図である。
【図５】本発明の実施の形態２に係る照明カバーの断面図及び平面図である。
【図６】図５の照明カバーの領域Ｓ２の部分拡大図である。
【図７】本発明の実施の形態３に係る照明カバーの断面図及び平面図である。
【図８】本発明の実施の形態４に係る照明カバーの断面図及び平面図である。
【図９】本発明の実施の形態５に係る照明カバーの断面図及び平面図である。
【図１０】図９の照明カバーのＢ−Ｂ断面を示す部分断面図である。
【図１１】図１０のカバー正面部のＣ−Ｃ断面を示す部分断面図である。
【図１２】図１０のカバー正面部のＤ−Ｄ断面を示す部分断面図である。
【図１３】本発明の実施の形態６に係る照明カバーの断面図及び平面図である。
【発明を実施するための形態】
【００１０】
実施の形態１．
図１は、本発明の実施の形態１に係る照明器具の構成を示す切り欠き断面図である。図２は、本発明の実施の形態１に係る照明器具の構成を示す平面図である。図１及び図２に基づき、照明器具１００の構成を説明する。照明器具１００は、以下、天井に設置されているものとして説明するが、側壁面等のどのような場所に設置されてもよい。
【００１１】
図１に示されるように、照明器具１００は、照明器具本体２と照明カバー４等とを有する。照明器具本体２は、一方に開口を有する筐体２ａと、筐体２ａの開口に設置された光源５と、筐体２ａの開口の外周に設けられた枠３とを備える。照明器具本体２は、天井材１に設けられた設置穴に取り付けられる。筐体２ａは、光源５の出射側が開口した略円筒形状に形成されている。
【００１２】
光源５は、例えばＬＥＤ（Ｌｉｇｈｔ  Ｅｍｉｔｔｉｎｇ  Ｄｉｏｄｅ）等で構成されている。光源５は、図示しない電源装置から電力を供給され、光を出射するものである。図１及び図２において、矢印Ｚ方向は光源５の光軸方向を表し、矢印Ｘ方向及び矢印Ｙ方向は光軸ＣＬに垂直な方向を表す。以下、矢印Ｚ方向のＺ１が示す方向を前方とし、矢印Ｘ方向と矢印Ｙ方向とは直交するものとする。図１の左側には、照明器具１００の外観が示され、右側には、照明器具１００の光軸ＣＬを通る断面が示されている。
【００１３】
枠３は、照明器具本体２において光源５の出射側に設けられている。枠３は、環形状を有し、筐体２ａの外周に沿って天井材１の開口の縁を塞ぐものである。枠３には、バネ３ａが取り付けられており、バネ３ａにより照明器具本体２が設置穴に着脱可能に取り付けられる。
【００１４】
照明カバー４は、枠３の前方（Ｚ１方向）に配置され、光源５が出射する光の配光を制御するものである。照明カバー４は、例えばアクリル樹脂等の透明樹脂材料で作製され、光透過性を有している。照明カバー４は、光源５の出射側に延び、側面を構成するカバー側面部４３と、光源５の出射側に配置され、下面を構成するカバー正面部４２とを有している。照明カバー４のカバー正面部４２とカバー側面部４３とは、同一材料から一体成形されている。
【００１５】
カバー側面部４３は、両端が開口した円錐形状を有し、前方ほど光軸ＣＬに近くなる形状を有する。カバー側面部４３の後方側の開口が照明器具本体２に固定され保持される。カバー側面部４３は、ほぼ均一な板厚を有し、光源５が出射する光を透過する。
【００１６】
カバー正面部４２は、中央に開口部４１が設けられた環形状を有し、外縁部４２ａがカバー側面部４３の前方の開口端４３ａにつながっている。図１では、カバー正面部４２は、光軸ＣＬにほぼ直交するように配置されている。カバー正面部４２は、光源５が出射する光を、前方に透過する光と後方に反射する光とに配光する。
【００１７】
したがって、照明器具本体２の光源５から出射した光は、開口部４１に入射してそのまま前方（Ｚ１方向）に照射される経路６１と、カバー正面部４２に入射する経路６２と、カバー側面部４３に入射され透過して前方に照射される経路６３とに分けられる。
【００１８】
図３は、本発明の実施の形態１に係る照明カバーの断面図及び平面図である。図３に基づき、実施の形態１におけるカバー正面部４２の構成を詳細に説明する。カバー正面部４２は、外縁部４２ａから、光軸ＣＬ側（開口部４１側）に向かって板厚が薄くなるように形成されており、光源側に設けられた内面１０と、内面１０と対向した外面２０とを有する。内面１０は光軸ＣＬと垂直なＸＹ平面に沿って形成された平面であり、外面２０は、光軸ＣＬ側に向かって傾斜した傾斜面となる。なお、傾斜角度、厚さ、カバー正面部４２の長さは、適宜設定することができる。
【００１９】
図４は、図３の照明カバーの領域Ｓ１の部分拡大図である。図４に基づき、カバー正面部４２を通過するときの反射光の経路６４と透過光の経路６５について詳細に説明する。光源５から出射した光は、カバー正面部４２に内面１０上の点６４ａに入射し、内面１０上の点６４ａで屈折する。屈折した光は、照明カバー４内を通り、空気層との界面となる外面２０上の点６４ｂに到達する。外面２０が傾斜していることにより、外面２０に到達した光のうち、点６４ｂでの入射角が臨界角より大きい光は、全反射して後方に進路を変える。その後、進路を変えた光は、カバー側面部４３の外側面３０に到達し、外側面３０上の点６４ｃで照明カバー４から出射して天井材１へ向かう。なお、臨界角よりも小さい角度で入射した光は、経路６５で示されるように、外面２０を透過し前方を照射する。このように、カバー正面部４２は、光軸ＣＬと垂直なＸＹ面に対して傾斜した傾斜面を有することで、入射した光の一部を反射し、後方へ光束を導光することができる。
【００２０】
なお、照明カバー４は透過材で構成されるが、透過材の透過率及び拡散性は、用途に応じて種々の選択をしても良い。例えば、カバー側面部４３の内側面、外側面３０、カバー正面部４２の内面１０又は外面２０の表面に凹凸を形成する（フロスト加工）ことにより、照明カバー４に拡散性を持たせることができる。表面にスリットを設ける他、透過材を塗布する等して照明カバー４に拡散性を持たせてもよい。あるいは、照明カバー４全体を、光拡散材料を含有するカバー部材で構成してもよい。表面加工を採用する場合には、表面の粗さを規定して加工することにより、透過光の損失が抑えられる。また、照明カバー４の透過材は、着色されたものでもよい。照明カバー４は、着色透明であることにより、照明器具１００を設置する空間の用途に合わせた空間演出が実現できる。
【００２１】
以上のように、実施の形態１によれば、照明カバー４は、照明器具本体２に保持され光を透過するカバー側面部４３と、光源５の出射側に配置され、光源５からの光を前方に透過する光と後方に反射する光とに配光するカバー正面部４２とを有する。これにより、照明カバー４は後方への光の利用効率を高めることができる。すなわち、照明器具１００は、従来の照明器具のように、照射面から突出した吊り下げ金具等の保持部材を使用しないので、保持部材の存在感を軽減するとともに光の損失を抑えることができる。このように、照明カバー４によって、光の利用効率を向上させ、明るさ感を増す空間演出ができる。
【００２２】
また、図４のようにカバー正面部４２の内面１０又は外面２０が、光源５の光軸ＣＬから傾斜した傾斜面を有するとき、簡便な構造で前方を照射しつつ後方を照射する配光を行うことができる。
【００２３】
また、カバー正面部４２及びカバー側面部４３を構成するカバー部材は、光拡散材料を含有する、あるいは、カバー正面部４２及びカバー側面部４３は、表面に光拡散部が形成されていてもよい。これにより、照明カバー４は、光源５から照明カバー４に出射される光の入射角が臨界角を超えない光であっても、光を後方へ反射させることができる。
【００２４】
また、カバー正面部４２及びカバー側面部４３を構成するカバー部材の少なくとも一部を着色したとき、照明器具１００を設置する空間の用途に応じた空間演出を実現できる。
【００２５】
実施の形態２．
図５は、本発明の実施の形態２に係る照明カバーの断面図及び平面図である。図６は、図５の照明カバーの領域Ｓ２の部分拡大図である。図５及び図６に基づき、実施の形態２の照明カバー１０４について説明する。実施の形態２において、照明カバー１０４は、カバー正面部１４２の形状が実施の形態１の場合とは異なる。以下、照明カバー１０４において、実施の形態１と同様の構成については同一符号を付して説明を省略し、異なる構成について説明する。
【００２６】
図５及び図６のカバー正面部１４２の照射側の外面１２０は平らであり、光軸ＣＬと垂直なＸＹ平面に沿って形成されている。一方、カバー正面部１４２の内面１１０は、光軸ＣＬに向かって傾斜している。具体的には、カバー正面部１４２の内面１１０は、光軸ＣＬ側（開口部４１側）から外縁部１４２ａに近づくにつれ厚さが厚くなるように傾斜した傾斜面となっている。
【００２７】
カバー正面部１４２を通過するときの反射光の経路１６２について詳細に説明する。光源５から出射した光は、カバー正面部１４２に内面１１０上の点１６２ａから入射した光は、内面１１０が光軸ＣＬから傾斜していることにより、内面１１０の点１６２ａにおいて、屈折する。このとき、屈折角度は、実施の形態１で示した場合に比べて小さい。屈折した光は、樹脂と空気層との界面となる外面１２０の点１６２ｂに到達する。外面１２０に到達した光のうち、点１６２ｂでの入射角が臨界角より大きくなる光は、全反射して後方に進路を変える。その後、進路を変えた光は外側面３０に到達し、外側面３０の点１６２ｃで屈折して照明カバー４から出射し、天井材１へ向かう。一方、臨界角よりも入射角が小さい光は、前方へ透過する。このように、実施の形態２のカバー正面部１４２は、光軸ＣＬと垂直なＸＹ面に対して傾斜した傾斜面を有していても、入射した光の一部を反射して後方を照らすことができる。
【００２８】
以上のように、実施の形態２では、カバー正面部１４２は、照射側の内面１１０に、光源５の光軸ＣＬから傾斜した傾斜面が形成されている。実施の形態１において、カバー側面部４３とカバー正面部４２の傾斜面（外面２０）とが鋭角であるのに対し、実施の形態２では、カバー側面部４３とカバー正面部１４２の傾斜面（内面１１０）とが鈍角となる。そのため、実施の形態２の照明カバー１０４を用いた照明器具１００は、実施の形態１の場合とは異なる配光特性によって異なる視覚的印象を与えることができる。したがって、照明カバー４と照明カバー１０４とのいずれかを選択することで、空間演出の幅を広げることができる。
【００２９】
実施の形態３．
図７は、本発明の実施の形態３に係る照明カバーの断面図及び平面図である。図７に基づき、実施の形態３の照明カバー２０４について説明する。実施の形態１では、外面２０が一つの傾斜面を構成するが、実施の形態３では、外面２２０に複数の傾斜面が設けられる。以下、照明カバー２０４において、実施の形態１と同様の構成については同一符号を付して説明を省略し、異なる構成について説明する。
【００３０】
実施の形態３によれば、カバー正面部２４２の光源５側の内面２１０は平らであり、光軸ＣＬと垂直なＸＹ平面に配置されている。一方、カバー正面部２４２の照射側の外面２２０は、内面２１０に対して傾斜した複数の傾斜面により構成されている。具体的には、カバー正面部２４２の外面２２０は、第１傾斜面２１と第２傾斜面２２とから構成され、第１傾斜面２１と第２傾斜面２２とが、光軸ＣＬを中心として交互に同心円状に配置される。
【００３１】
第１傾斜面２１は、外縁部２４２ａから開口部４１に近づくにつれ後方に位置するように傾斜した傾斜面である。つまり、第１傾斜面２１の位置では、第１傾斜面２１と平らな内面２１０とにより、カバー正面部２４２の板厚は、光軸ＣＬに向かって次第に薄くなる。
【００３２】
第２傾斜面２２は、外縁部２４２ａから開口部４１に近づくにつれ前方に位置するように傾斜した傾斜面である。つまり、第２傾斜面２２の位置では、第２傾斜面２２と平らな内面２１０とにより、カバー正面部２４２の板厚は、光軸ＣＬに向かって次第に厚くなる。このように、カバー正面部２４２は、径方向に板厚が厚くなる領域と薄くなる領域とが交互に組み合わされたノコギリ刃状の断面を有している。
【００３３】
以上のように、実施の形態３において、カバー正面部２４２は、光軸ＣＬに向かってカバー正面部２４２の厚さが薄くなることにより形成される第１傾斜面２１と、カバー正面部２４２の厚さが厚くなることにより形成される第２傾斜面２２とを有している。そして、第１傾斜面２１と第２傾斜面２２とは、カバー正面部２４２に外縁部２４２ａから光軸ＣＬに向かって交互に設けられ、同心円状に形成になっている。
【００３４】
実施の形態３において、実施の形態１の場合と同様に、後方に向かう反射光（例えば、経路６４で示される）を作ることができる。さらに、内面２１０又は外面２２０には、光源５の光軸ＣＬから傾斜した第１傾斜面２１及び第２傾斜面２２が形成されている。第１傾斜面２１は、カバー正面部２４２の外縁部２４２ａから光軸ＣＬに向かってカバー正面部２４２の厚さが薄くなることにより形成され、第２傾斜面２２は、厚くなることにより形成される。そして、第１傾斜面２１と第２傾斜面２２とは、カバー正面部２４２に外縁部２４２ａから光軸ＣＬに向かって交互に設けられている。これにより、照明カバー２０４は角度の異なる第１傾斜面２１と第２傾斜面２２とを複数構成しているので、傾斜面の面積が増えて全反射する、天井材１に向かう反射光の量が増える。したがって、照明カバー２０４では、実施の形態１及び実施の形態２の場合よりも天井を明るくすることができる。
【００３５】
実施の形態４．
図８は、本発明の実施の形態４に係る照明カバーの断面図及び平面図である。図８に基づき、実施の形態４の照明カバー３０４について説明する。実施の形態２では、内面１１０が一つの傾斜面を構成するが、実施の形態４では、内面３１０に複数の傾斜面が設けられる。以下、照明カバー３０４において、実施の形態３と同様の構成については同一符号を付して説明を省略し、異なる構成について説明する。
【００３６】
実施の形態４では、実施の形態３とは内面３１０と外面３２０とが入れ替えられている。つまり、カバー正面部３４２の照射側の外面３２０は光軸ＣＬと垂直なＸＹ平面に形成され、一方、内面３１０は、第１傾斜面１１と第２傾斜面１２とが形成されている。
【００３７】
以上のように、実施の形態４によれば、カバー正面部３４２は、光軸ＣＬに対して傾斜した第１傾斜面１１及び第２傾斜面１２が、外縁部３４２ａから光軸ＣＬに向かって交互に設けられている。これにより、実施の形態３の場合と同様に、後方へ向かう光の量を増やすことができる。さらに、実施の形態４の照明カバー３０４は、実施の形態３の場合とは異なり、前面であるカバー正面部３４２の外面３２０が平面となっている。このため、実施の形態４では、照明カバー３０４の輸送時の梱包が、実施の形態３の場合よりも簡略化できる。
【００３８】
実施の形態５．
図９は、本発明の実施の形態５に係る照明カバーの断面図及び平面図である。また図９の右側には、カバー正面部４４２のＡ−Ａ断面が示されている。図９に基づき、実施の形態５の照明カバー４０４について説明する。実施の形態５では、カバー正面部４４２は、外面４２０に複数の傾斜面を放射状に備え、厚さが周方向に変化する形状となっている。以下、照明カバー４０４において、実施の形態１と同様の構成については同一符号を付して説明を省略し、異なる構成について説明する。
【００３９】
実施の形態５において、カバー正面部４４２の光源５側の内面４１０は平らであり、光軸ＣＬと垂直なＸＹ平面に配置されている。一方、カバー正面部４４２の照射側の外面４２０は、内面４１０に対して傾斜した第３傾斜面２３と第４傾斜面２４とが組み合わされて構成される。
【００４０】
第３傾斜面２３は、周方向（矢印Ｒ方向）に進むにつれ後方に位置するように傾斜した傾斜面である。つまり、第３傾斜面２３と平らな内面４１０とにより、カバー正面部４４２の板厚は、周方向（矢印Ｒ方向）に次第に薄くなる。
【００４１】
第４傾斜面２４は、周方向（矢印Ｒ方向）に進むにつれ前方（Ｚ１方向）に位置するように傾斜した傾斜面である。つまり、第４傾斜面２４と平らな内面４１０と板厚は、周方向（矢印Ｒ方向）に次第に厚くなる。
【００４２】
第３傾斜面２３と第４傾斜面２４とは、光軸ＣＬを中心として放射状に、周方向（矢印Ｒ方向）に交互に隣接して設けられている。Ａ−Ａ断面に示されるように、外面４２０において、第３傾斜面２３と第４傾斜面２４との境界には、板厚が最も薄くなる谷２５と、板厚が最も厚くなる山２６が形成されている。図９の平面図では、谷２５は二点鎖線で示され、山２６は実線で示されている。
【００４３】
図１０〜図１２に基づき、カバー正面部４４２を通過する複数の光線の経路７１、７２、７３について説明する。図１０は、図９の照明カバーのＢ−Ｂ断面を示す部分断面図である。図１１は、図１０のカバー正面部のＣ−Ｃ断面を示す部分断面図であり、経路７１を通る面での断面が示される。図１２は、図１０のカバー正面部のＤ−Ｄ断面を示す部分断面図であり、経路７３を通る面での断面が示される。経路７１は、カバー正面部４４２へ垂直に入射する光線の経路を表し、経路７２及び経路７３は、カバー正面部４４２の内面４１０に対して入射角を持つ光線の経路を表している。
【００４４】
カバー正面部４４２へ垂直に入射する光線は、内面４１０上の入光点７１ａで屈折することなく直進し、照明カバー４０４を構成する樹脂と空気層との界面となる外面４２０上の点７１ｂに到達する。図１０の断面内に屈折を生じる入射角は図示されていないが、図１１に示されるＣ−Ｃ断面内では、点７１ｂは第３傾斜面２３上に位置している。このため、点７１ｂにおいて光線は屈折により進路が曲がる。
【００４５】
カバー正面部４４２の内面４１０に対して入射角を持つ光線は、入射角の大きさに応じて光路が決まる。図１２に示されるように、経路７２で表される光線よりも入射角が大きい経路７３の光線は、内面４１０の点７３ａからカバー正面部４４２に入射し、樹脂と空気層との界面になる外面４２０上の点７３ｂに到達する。点７３ｂは第３傾斜面２３上に位置しており、光線は、点７３ｂにおいて外面４２０への入射角が臨界角を超えるため、全反射して後方に進路を変える。
【００４６】
以上のように、実施の形態５によれば、光源５の光軸ＣＬの周方向（矢印Ｒ方向）に傾斜した第３傾斜面２３と第４傾斜面２４とは、光軸ＣＬに対しそれぞれ異なる傾斜角度で形成され、周方向に交互に配置されている。これにより、傾斜面により光を反射し、後方（例えば、天井面）を明るくすることができる。さらに、実施の形態５では、カバー正面部４４２に入射する光線（Ｂ−Ｂ断面）と、出射する光線が異なる断面内にあり、円周方向（Ｄ―Ｄ断面）に進路を変える。したがって、実施の形態５の照明カバー４０４は、実施の形態１〜４の場合よりも複雑な透過光及び反射光を得て、特殊な配光特性を得ることができる。
【００４７】
実施の形態６．
図１３は、本発明の実施の形態６に係る照明カバーの断面図及び平面図である。図１３に基づき、実施の形態６の照明カバー５０４について説明する。実施の形態５では、カバー正面部５４２は、内面５１０に複数の傾斜面を放射状に備え、厚さが周方向に変化する形状となっている。以下、照明カバー５０４において、実施の形態１と同様の構成については同一符号を付して説明を省略し、異なる構成について説明する。
【００４８】
図１３においても、実施の形態５の場合と同様に、カバー正面部５４２は、周方向（矢印Ｒ方向）に板厚が厚くなる領域と薄くなる領域とが交互に組み合わされて構成されている。実施の形態５では、外面４２０に第３傾斜面２３及び第４傾斜面２４が形成されていたが、実施の形態６では、カバー正面部５４２の光源５側の内面５１０に、外面５２０に対して傾斜した第３傾斜面１３と第４傾斜面１４とが組み合わされて形成されている。
【００４９】
第３傾斜面１３と第４傾斜面１４とは、光軸ＣＬを中心として放射状に、周方向（矢印Ｒ方向）に交互に隣接して設けられている。Ａ−Ａ断面に示されるように、外面５２０において、第３傾斜面１３と第４傾斜面１４との境界には、板厚が最も薄くなる谷１５と、板厚が最も厚くなる山１６が形成されている。図１３の平面図では、谷１５は二点鎖線で示され、山１６は破線で示されている。
【００５０】
実施の形態６においても、図１０−１２で説明したのと同様に、カバー正面部４２に入射する光線と出射する光線が異なる断面内にあり、周方向（矢印Ｒ方向）に進路を変えながら、全反射により、後方に向かう反射光を作ることができる。そのため、実施の形態６では、照明カバー５０４の光源５側に放射状に斜面が複数形成されていることにより、照明カバー５０４を前方から見た時に実施の形態５の場合よりも立体的に見えるという効果を有する。
【００５１】
なお、本発明の実施の形態は上記実施の形態に限定されず、種々の変更を行うことができる。例えば、開口部４１を透明部材で塞ぐ構成としてもよい。また、実施の形態では照明器具１００が天井に埋め込まれたダウンライトである場合を例に説明したが、照明器具１００は、側壁に設置されるスポットライト若しくは吊り下げ型照明器具でもよい。また照明器具１００は、直線形の照明器具であってもよい。
【符号の説明】
【００５２】
１  天井材、２  照明器具本体、２ａ  筐体、３  枠、３ａ  バネ、４，１０４，２０４，３０４，４０４，５０４  照明カバー、５  光源、１０，１１０，２１０，３１０，４１０，５１０  内面、１１，２１  第１傾斜面、１２，２２  第２傾斜面、１３，２３  第３傾斜面、１４，２４  第４傾斜面、１５，２５  谷、１６，２６  山、２０，２２０，３２０，４２０，５２０  外面、２１  第１傾斜面、３０  外側面、４１  開口部、４２，１４２，２４２，３４２，４４２，５４２  カバー正面部、４２ａ，１４２ａ，２４２ａ，３４２ａ，４４２ａ，５４２ａ  外縁部、４３  カバー側面部、４３ａ  開口端、６１，６２，６３，６４，６５，７１，７２，７３，１６２  経路、１００  照明器具、ＣＬ  光軸。
【図１】
2018206565.tif 000003
【図２】
2018206565.tif 000004
【図３】
2018206565.tif 000005
【図４】
2018206565.tif 000006
【図５】
2018206565.tif 000007
【図６】
2018206565.tif 000008
【図７】
2018206565.tif 000009
【図８】
2018206565.tif 000010
【図９】
2018206565.tif 000011
【図１０】
2018206565.tif 000012
【図１１】
2018206565.tif 000013
【図１２】
2018206565.tif 000014
【図１３】
2018206565.tif 000015